(57)【要約】【課題】ＰＯＮシステムにおいて簡易な構成で消費電力を低減可能な通信システムを得ること。【解決手段】宅内装置１および局側装置３から構成される通信システムであって、宅内装置１は、局側装置３からの制御に基づいて、自装置の一部の機能を停止するスリープ期間および停止した機能を起動するアクティブ期間を周期的に実行する宅内スリープ制御部と、自装置がアクティブ期間に移行したことを示す一時起動フレームを生成し、局側装置３へ送信する一時起動フレーム生成部と、を備え、局側装置３は、一時起動フレームを受信したことを認識する一時起動フレーム識別部と、一時起動フレーム識別部からの通知に基づいて、自装置で認識している宅内装置１のスリープ期間の開始タイミングを補正し、また、宅内装置１におけるスリープ期間およびアクティブ期間を制御する局側スリープ制御部と、を備える。【選択図】図２
2013123179.tif 000002
【特許請求の範囲】
【請求項１】
宅内装置および局側装置から構成される通信システムであって、
前記宅内装置は、
前記局側装置からの制御に基づいて、自装置の一部の機能を停止するスリープ期間および停止した機能を起動するアクティブ期間を周期的に実行する宅内スリープ制御手段と、
自装置が前記アクティブ期間に移行したことを示す一時起動フレームを生成し、前記局側装置へ送信する一時起動フレーム生成手段と、
を備え、
前記局側装置は、
前記一時起動フレームを受信したことを認識する一時起動フレーム識別手段と、
前記一時起動フレーム識別手段からの通知に基づいて、自装置で認識している前記宅内装置のスリープ期間の開始タイミングを補正し、また、前記宅内装置におけるスリープ期間およびアクティブ期間を制御する局側スリープ制御手段と、
を備えることを特徴とする通信システム。
【請求項２】
前記一時起動フレーム識別手段は、
前記一時起動フレームを受信した場合、前記局側スリープ制御手段に対して、前記一時起動フレームを受信した時刻、または前記一時起動フレームに挿入された前記宅内装置における送信時刻、の情報を通知する、
ことを特徴とする請求項１に記載の通信システム。
【請求項３】
前記局側スリープ制御手段は、
前記宅内装置と自装置との間のトラフィック状態、および前記宅内装置との間で設定されたスリープ設定に基づいて、前記宅内装置におけるスリープ期間およびアクティブ期間を制御する、
ことを特徴とする請求項１または２に記載の通信システム。
【請求項４】
前記局側スリープ制御手段は、
前記一時起動フレーム識別手段から通知を受けた場合、自装置から前記宅内装置へのフレーム送信を制御する、
ことを特徴とする請求項１、２または３に記載の通信システム。
【請求項５】
前記宅内スリープ制御手段は、
前記局側装置と自装置との間のトラフィック状態、および前記局側装置との間で設定されたスリープ設定に基づいて、自装置におけるスリープ期間およびアクティブ期間を制御する、
ことを特徴とする請求項１〜４のいずれか１つに記載の通信システム。
【請求項６】
前記宅内スリープ制御手段は、
自装置がアクティブ期間に移行した場合、前記一時起動フレーム生成手段に対して、一時起動フレームの生成を指示する、
ことを特徴とする請求項１〜５のいずれか１つに記載の通信システム。
【請求項７】
前記宅内スリープ制御手段は、
スリープ期間中、自装置のフレーム送受信機能を停止する、
ことを特徴とする請求項１〜６のいずれか１つに記載の通信システム。
【請求項８】
宅内装置と通信システムを構成する局側装置であって、
前記宅内装置が、一部の機能を停止するスリープ期間および停止した機能を起動するアクティブ期間を周期的に実行し、当該宅内装置がアクティブ期間に移行したことを示す一時起動フレームを生成して送信する場合に、
前記一時起動フレームを受信したことを認識する一時起動フレーム識別手段と、
前記一時起動フレーム識別手段からの通知に基づいて、自装置で認識している前記宅内装置のスリープ期間の開始タイミングを補正し、また、前記宅内装置におけるスリープ期間およびアクティブ期間を制御する局側スリープ制御手段と、
を備えることを特徴とする局側装置。
【請求項９】
前記一時起動フレーム識別手段は、
前記一時起動フレームを受信した場合、前記局側スリープ制御手段に対して、前記一時起動フレームを受信した時刻、または前記一時起動フレームに挿入された前記宅内装置における送信時刻、の情報を通知する、
ことを特徴とする請求項８に記載の局側装置。
【請求項１０】
前記局側スリープ制御手段は、
前記宅内装置と自装置との間のトラフィック状態、および前記宅内装置との間で設定されたスリープ設定に基づいて、前記宅内装置におけるスリープ期間およびアクティブ期間を制御する、
ことを特徴とする請求項８または９に記載の局側装置。
【請求項１１】
前記局側スリープ制御手段は、
前記一時起動フレーム識別手段から通知を受けた場合、自装置から前記宅内装置へのフレーム送信を制御する、
ことを特徴とする請求項８、９または１０に記載の局側装置。
【請求項１２】
局側装置と通信システムを構成する宅内装置であって、
前記局側装置からの制御に基づいて、自装置の一部の機能を停止するスリープ期間および停止した機能を起動するアクティブ期間を周期的に実行する宅内スリープ制御手段と、
自装置がアクティブ期間に移行したことを示す一時起動フレームを生成し、前記局側装置へ送信する一時起動フレーム生成手段と、
を備えることを特徴とする宅内装置。
【請求項１３】
前記宅内スリープ制御手段は、
前記局側装置と自装置との間のトラフィック状態、および前記局側装置との間で設定されたスリープ設定に基づいて、自装置におけるスリープ期間およびアクティブ期間を制御する、
ことを特徴とする請求項１２に記載の宅内装置。
【請求項１４】
前記宅内スリープ制御手段は、
自装置がアクティブ期間に移行した場合、前記一時起動フレーム生成手段に対して、一時起動フレームの生成を指示する、
ことを特徴とする請求項１２または１３に記載の宅内装置。
【請求項１５】
前記宅内スリープ制御手段は、
スリープ期間中、自装置のフレーム送受信機能を停止する、
ことを特徴とする請求項１２、１３または１４に記載の宅内装置。
【発明の詳細な説明】
【技術分野】
【０００１】
本発明は、ＰＯＮアーキテクチャにて構成された通信システムに関する。
【背景技術】
【０００２】
近年、ＰＯＮ（Passive  Optical  Network）アーキテクチャを用いたネットワークの普及によって、ユーザーは簡易にインターネット環境を得ることができる。一方で、各ユーザーが使用する宅内装置ＯＮＵ（Optical  Network  Unit）の増加に伴い、ネットワーク全体の消費電力においてＯＮＵの消費電力が占める割合が増加しており、ＯＮＵでの省電力が求められている。
【０００３】
下記特許文献１では、局側装置ＯＬＴ（Optical  Line  Terminal）とＯＮＵとの間でタイミングを調整し、ＯＮＵの光送信機能または光送受信の両方の機能を停止して省電力化を図る技術が開示されている。ＯＬＴが機能停止許可フレーム（ＡＬＬＯＷ）を送信し、それを受信したＯＮＵは、機能停止実施フレーム（ＡＣＫ）を送信して機能停止状態（ＳＬＥＥＰ）に入る。ＰＯＮでは、周期的にリンクを確認するためのフレーム（例えば、ＧＡＴＥ、ＲＥＰＯＲＴ、ＯＡＭ等）を送受信してリンクの維持を行っている。そのため、ＯＮＵは、ＳＬＥＥＰ状態に入っても周期的に起動し、導通状態（ＡＣＴＩＶＥ）になってＯＬＴと通信を行う。通常、ＰＯＮでは、ＯＮＵはＯＬＴから送信される信号からクロックを抽出して自身の動作クロックとしている。
【先行技術文献】
【特許文献】
【０００４】
【特許文献１】特開２０１０−２１３２５９号公報
【発明の概要】
【発明が解決しようとする課題】
【０００５】
しかしながら、上記従来の技術によれば、ＯＮＵは、受信機能を停止させるとクロックを抽出できず、自身が持つクロック源で動作する。ＯＮＵは、ＳＬＥＥＰ期間はＯＮＵクロック、ＡＣＴＩＶＥ期間はＯＬＴクロックで動作する。ＳＬＥＥＰ期間中、ＯＬＴとＯＮＵは異なるクロックで動作するため、ＯＬＴが認識するＯＮＵのＳＬＥＥＰ期間と実際のＯＮＵのＳＬＥＥＰ期間にズレが生じる。ＳＬＥＥＰ、ＡＣＴＩＶＥの期間は、周期ごとにＯＬＴからＯＮＵへ絶対時間が通知されるものではなく長さが通知される。そのため、長い周期を重ねるごとにＳＬＥＥＰ期間のズレが積み重なった結果、最終的にはＯＬＴが認識するＯＮＵのＡＣＴＩＶＥ期間と実際のＯＮＵのＡＣＴＩＶＥ期間のズレが原因でフレームを欠損する。ＰＯＮアーキテクチャではＯＬＴがアクセス制御を行っているため、ＯＮＵがＯＬＴからのフレームを逸失することにより、ＯＬＴとＯＮＵとの間で通信が成り立たなくなる、という問題があった。
【０００６】
また、ＡＣＴＩＶＥ期間の同期を取る方法としてＲＥＰＯＲＴフレームの受信を監視する方法も考えられるが、実現には複雑な回路構成を取ることになり、コストへの影響が避けられない、という問題があった。
【０００７】
本発明は、上記に鑑みてなされたものであって、ＰＯＮシステムにおいて簡易な構成で消費電力を低減可能な通信システムを得ることを目的とする。
【課題を解決するための手段】
【０００８】
上述した課題を解決し、目的を達成するために、本発明は、宅内装置および局側装置から構成される通信システムであって、前記宅内装置は、前記局側装置からの制御に基づいて、自装置の一部の機能を停止するスリープ期間および停止した機能を起動するアクティブ期間を周期的に実行する宅内スリープ制御手段と、自装置が前記アクティブ期間に移行したことを示す一時起動フレームを生成し、前記局側装置へ送信する一時起動フレーム生成手段と、を備え、前記局側装置は、前記一時起動フレームを受信したことを認識する一時起動フレーム識別手段と、前記一時起動フレーム識別手段からの通知に基づいて、自装置で認識している前記宅内装置のスリープ期間の開始タイミングを補正し、また、前記宅内装置におけるスリープ期間およびアクティブ期間を制御する局側スリープ制御手段と、を備えることを特徴とする。
【発明の効果】
【０００９】
本発明によれば、ＰＯＮシステムにおいて簡易な構成で消費電力を低減できる、という効果を奏する。
【図面の簡単な説明】
【００１０】
【図１】図１は、従来におけるＯＬＴとＯＮＵとの間で送受信されるフレームおよびＯＮＵの状態を示すシーケンス図である。
【図２】図２は、通信システムの構成例を示す図である。
【図３】図３は、本実施の形態におけるＯＬＴとＯＮＵとの間で送受信されるフレームおよびＯＮＵの状態を示すシーケンス図である。
【図４】図４は、ＯＮＵの構成例を示す図である。
【図５】図５は、ＯＬＴの構成例を示す図である。
【発明を実施するための形態】
【００１１】
以下に、本発明にかかる通信システムの実施の形態を図面に基づいて詳細に説明する。なお、この実施の形態によりこの発明が限定されるものではない。
【００１２】
実施の形態．
まず、従来の通信システムにおいてＯＮＵがＳＬＥＥＰ状態に入るときのＯＮＵとＯＬＴとの通信について間単に説明する。図１は、従来におけるＯＬＴとＯＮＵとの間で送受信されるフレームおよびＯＮＵの状態を示すシーケンス図である。
【００１３】
ＯＬＴが機能停止許可フレーム（ＡＬＬＯＷ）を送信すると、受信したＯＮＵは、機能停止実施フレーム（ＡＣＫ）を送信して機能停止状態（ＳＬＥＥＰ）に入る。周期的にリンクを維持・確認するため、ＯＮＵは、ＳＬＥＥＰ状態に入っても周期的に起動し、導通状態（ＡＣＴＩＶＥ）になってＯＬＴと通信を行う。具体的に、ＯＬＴはＯＮＵに対してＧＡＴＥまたはＯＡＭフレームを送信し、ＯＮＵはＯＬＴに対してＲＥＰＯＲＴまたはＯＡＭフレームを送信する。
【００１４】
ここで、ＯＮＵは、ＳＬＥＥＰ期間はＯＮＵ（自走）クロック、ＡＣＴＩＶＥ期間はＯＬＴクロックで動作する。ＳＬＥＥＰ期間はＯＬＴとＯＮＵは異なるクロックで動作するため、図１に示すように、ＯＬＴが認識するＯＮＵのＳＬＥＥＰ期間と実際のＯＮＵのＳＬＥＥＰ期間との間にズレが生じる。ＳＬＥＥＰ、ＡＣＴＩＶＥの期間は、周期ごとにＯＬＴからＯＮＵへ絶対時間が通知されるものではなく長さが通知されるため、長い周期を重ねるごとにズレは積み重なって、最終的にＯＬＴが認識するＯＮＵのＡＣＴＩＶＥ期間と実際のＯＮＵのＡＣＴＩＶＥ期間のズレが原因でフレームを欠損する。この場合、図１に示すように、ＯＬＴとＯＮＵとの間では導通不可となる。
【００１５】
そのため、本実施の形態では、ＯＮＵがＳＬＥＥＰ状態に入る場合においても、ＯＬＴとＯＮＵとの間で導通不可となる事態を回避可能しつつ、ＯＮＵにおける消費電力を低減可能な通信システムについて説明する。
【００１６】
図２は、本実施の形態の通信システムの構成例を示す図である。通信システムは、ＯＮＵ１と、ＯＮＵ２と、ＯＬＴ３と、から構成される。ＯＬＴ３は、光カプラを介して複数のＯＮＵと接続する。ここで、パワーセーブ機能を実装してスリープ制御可能なＯＮＵ（ＯＮＵ１）は、パワーセーブ機能を実装してスリープ制御可能なＯＬＴ３との間でスリープ設定の確認を行う。なお、パワーセーブ機能を実装しているＯＮＵ（ＯＮＵ１）とパワーセーブ機能を実装していないＯＮＵ（ＯＮＵ２）がそれぞれ１つ接続されているが、これに限定するものではない。ＯＬＴ３は、いずれのＯＮＵについても複数と接続することが可能である。
【００１７】
図３は、本実施の形態におけるＯＬＴとＯＮＵとの間で送受信されるフレームおよびＯＮＵの状態を示すシーケンス図である。従来同様、ＯＬＴ３は、ＯＮＵ１がパワーセーブ可能であると判断すると、ＯＮＵ１に対して機能停止許可フレーム（ＡＬＬＯＷ）を送信する。ＡＬＬＯＷを受信したＯＮＵ１は、自身のトラフィック状況を確認し、機能停止の実施可否をＡＣＫとしてＯＬＴ３へ通知する。上記送受信の結果、実施可能のＡＣＫの場合、ＯＮＵ１は、機能停止状態（ＳＬＥＥＰ）となる。なお、ＳＬＥＥＰに至るシーケンスについてはこのシーケンスに限らず特定のものではない。また、ＯＮＵ１が停止する機能は、ＯＬＴ３とＯＮＵ１との間のスリープ設定や、ＡＬＬＯＷ、ＡＣＫの内容により決定される。
【００１８】
ここで、ＯＮＵ１は、ＳＬＥＥＰ期間では光受信機能（フレームの送受信機能）も停止しているとする。この場合、ＯＮＵ１は、自身のクロック源でＳＬＥＥＰ時間を計測する。そのため、ＯＮＵ１およびＯＬＴ３は、異なるクロックでＳＬＥＥＰ時間を計測する。
【００１９】
ＯＮＵ１は、ＳＬＥＥＰ期間からＡＣＴＩＶＥ期間へ移行する過程で光受信機能を有効にする（起動する）。ＯＮＵ１は、光受信機能の制御を行うことから自身が受信可能であることを認識しており、ＡＣＴＩＶＥ期間へ移行するタイミングでＯＬＴ３に対して、自身がＡＣＴＩＶＥ期間へ移行したことを示す一時起動フレームを送信する。これにより、ＯＮＵ１は、ＯＬＴ３に対してＡＣＴＩＶＥ期間へ移行したことを通知することができる。
【００２０】
ＯＬＴ３は、一時起動フレームを受信することによりＯＮＵ１がＡＣＴＩＶＥ期間へ移行したことを認識し、下りデータの送信を行うことが可能になる。また、ＯＬＴ３は、一時起動フレームを受信したタイミング（例えば、受信時刻）に基づいて、自身が認識するＯＮＵ１のＳＬＥＥＰ期間を補正する。具体的に、ＯＬＴ３は、ＡＣＴＩＶＥ期間が既知であり、また、ＡＣＴＩＶＥ期間についてはＯＬＴ３およびＯＮＵ１ともにＯＬＴ３のクロックで動作することから、つぎにＯＮＵ１がＳＬＥＥＰ期間に入るタイミングと、自身が認識するＯＮＵ１のＳＬＥＥＰ期間の開始タイミングを合わせることができる。
【００２１】
その結果、ＯＬＴ３が認識するＯＮＵ１のＳＬＥＥＰ期間と、実際のＯＮＵ１のＳＬＥＥＰ期間との間にズレが生じても、ズレが蓄積されることがなくなる。そのため、ＯＬＴ３とＯＮＵ１との間では、ズレが蓄積されてＡＣＴＩＶＥ期間がずれたことによりフレームが欠損する事態を回避でき、導通状態を維持することができる。
【００２２】
なお、ＯＬＴ３が、一時起動フレームを受信したタイミングに基づいて補正を行う場合について説明したが、これに限定するものではない。例えば、ＯＮＵ１が一時起動フレーム中にＡＣＴＩＶＥ期間開始時刻の情報を挿入し、ＯＬＴ３が、この時刻情報に基づいて補正を行うことも可能である。この場合、ＯＬＴ３は、より正確にＯＮＵ１のＡＣＴＩＶＥ期間開始時刻を認識することができる。
【００２３】
なお、ＯＮＵ１における一時起動フレームの生成はソフトウェアにより簡易に実装可能であり、プロトコルはＯＡＭでもＭＡＣコントロールフレームでも構わない。
【００２４】
また、ＯＬＴ３では、一時起動フレームを受信するたびにＳＬＥＥＰ期間、ＡＣＴＩＶＥ期間の周期を合わせることができるため、さらに、ＯＮＵ１のＳＬＥＥＰ期間を長くすることが可能である。
【００２５】
つづいて、各装置の構成について説明する。図４は、ＯＮＵの構成例を示す図である。ＯＮＵ１は、光送信機能を持つ送信部１１と、光受信機能を持つ受信部１２と、ユーザーデータおよび各フレームの送受信を制御するＰＯＮ制御部１３と、パワーセーブの状態管理を行うスリープ制御部１４と、スリープ制御部１４からの開始・終了等の指示に従って、パワーセーブに関する時間の管理（ＳＬＥＥＰ期間の計測等）を行うタイマー部１５と、スリープ制御部１４の制御に基づいてＡＣＴＩＶＥ期間に移行したことを示す一時起動フレームを生成する一時起動フレーム生成部１６と、スリープ制御部１４の制御に基づいて完全起動フレームを生成する完全起動フレーム生成部１７と、スリープ制御部１４の制御に基づいてパワーセーブ関連のスリープ制御フレーム（ＡＣＫ等）を生成するスリープ制御フレーム生成部１８と、パワーセーブ関連のスリープ制御フレーム（ＡＬＬＯＷ等）を識別したときにスリープ制御部１４へ通知するスリープ制御フレーム識別部１９と、一時起動フレーム、完全起動フレームまたはスリープ制御フレームを選択してＰＯＮ制御部１３へ出力する選択部２０と、を備える。
【００２６】
ＰＯＮ制御部１３は、受信部１２を介してＯＬＴ３から受信したユーザーデータについては図示しない後段へ、制御系のフレームについてはスリープ制御フレーム識別部１９へ出力する。また、図示しない後段から入力したユーザーデータおよび選択部２０から入力した制御系のフレームを、送信部１１を介してＯＬＴ３へ出力する。
【００２７】
スリープ制御部１４は、パワーセーブの状態管理として、具体的には、ＯＬＴ３からの制御に基づいて、ＯＮＵ１内の一部の機能（例えば、送信部１１および受信部１２における送信機能および受信機能）を停止するＳＬＥＥＰ期間および停止した機能を起動するＡＣＴＩＶＥ期間を周期的に実行する。なお、スリープ制御部１４は、ＳＬＥＥＰ期間およびＡＣＴＩＶＥ期間を周期的に実行するパワーセーブ状態に移行する場合は、その時点における自身のトラフィック状態に基づいて、移行可能かどうかを判断する。
【００２８】
図５は、ＯＬＴの構成例を示す図である。ＯＬＴ３は、光送信機能を持つ送信部３１と、光受信機能を持つ受信部３２と、ユーザーデータおよび各フレームの送受信を制御するＰＯＮ制御部３３と、パワーセーブの状態管理を行うスリープ制御部３４と、スリープ制御部３４からの開始・終了等の指示に従って、パワーセーブに関する時間の管理（ＯＮＵ１のＳＬＥＥＰ期間の計測等）を行うタイマー部３５と、ＡＣＴＩＶＥ期間に移行したことを示す一時起動フレームを識別したときにスリープ制御部３４へ通知する一時起動フレーム識別部３６と、完全起動フレームを識別したときにスリープ制御部３４へ通知する完全起動フレーム識別部３７と、パワーセーブ関連のスリープ制御フレーム（ＡＣＫ等）を識別したときにスリープ制御部３４へ通知するスリープ制御フレーム識別部３８と、スリープ制御部３４の制御に基づいてパワーセーブ関連のスリープ制御フレーム（ＡＬＬＯＷ等）を生成するスリープ制御フレーム生成部３９と、を備える。
【００２９】
ＰＯＮ制御部３３は、受信部３２を介してＯＮＵ１から受信したユーザーデータについては図示しない後段へ、制御系のフレームについては一時起動フレーム識別部３６、完全起動フレーム識別部３７、およびスリープ制御フレーム識別部３８へ出力する。また、図示しない後段から入力したユーザーデータおよびスリープ制御フレーム生成部３９から入力した制御系のフレーム（スリープ制御フレーム）を、送信部３１を介してＯＮＵ１へ出力する。
【００３０】
スリープ制御部３４は、ＯＮＵ１に対するＳＬＥＥＰ期間およびＡＣＴＩＶＥ期間の長さについては、スリープ設定としてＯＮＵ１との間で設定可能とする。例えば、その時点における自身とＯＮＵ１とのトラフィック状態に基づいて、ＯＮＵ１との間でＳＬＥＥＰ期間およびＡＣＴＩＶＥ期間の長さを設定とする。また、スリープ制御部３４は、ＯＮＵ１がパワーセーブ可能であると判断して機能停止許可フレーム（ＡＬＬＯＷ）を送信する場合、その時点における自身とＯＮＵ１とのトラフィック状態に基づいて判断することができる。
【００３１】
ＯＮＵ１の構成から明らかなように、スリープ制御部１４は、受信したスリープ制御フレームや自身のトラフィック状態、またはＯＬＴ３との間のスリープ設定から送信部１１および受信部１２の機能停止／起動を制御でき、また、ＡＣＴＩＶＥ期間に移行したことを認識できることから、一時起動フレーム生成部１６に対して一時起動フレームの生成指示を行うことが可能である。一時起動フレーム生成部１６は、選択部２０、ＰＯＮ制御部１３、および送信部１１を介して、ＯＬＴ３へ一時起動フレームを出力する。
【００３２】
また、ＯＬＴ３では、ＯＮＵ１から一時起動フレームを受信すると、一時起動フレーム識別部３６からの通知により、スリープ制御部３４が、ＯＮＵ１がＡＣＴＩＶＥ期間に移行したことを認識することができる。これにより、スリープ制御部３４は、自身が認識するＯＮＵ１のＳＬＥＥＰ期間を補正することができる。また、ＯＬＴ３自身では、ＯＮＵ１の時間（ＳＬＥＥＰ期間、ＡＣＴＩＶＥ期間）を厳密に管理する必要がなくなる。
【００３３】
このように、ＯＬＴ３およびＯＮＵ１において簡易なフレーム生成・認識機能を追加することにより、ＯＬＴ３がパワーセーブ時におけるクロック偏差が起因の周期ずれを認識して補正を行ってＯＮＵ１と同期をとることができ、ＯＮＵ１がＯＬＴ３からのフレームを逸失することを回避することができる。また、実装が簡単なためコストへの影響もない。また、一時起動フレームの長さは、通常ＯＬＴ３から与えられる送信許可時間内で送信可能なもので十分であり、伝送帯域への影響も非常に小さい。
【００３４】
以上説明したように、本実施の形態では、ＯＮＵは、ＳＬＥＥＰ期間終了後、ＡＣＴＩＶＥ期間に移行するタイミングでＯＬＴへ一時起動フレームを送信し、ＯＬＴは、受信した一時起動フレームに基づいて、自身が認識するＯＮＵのＳＬＥＥＰ期間を補正し、ＯＮＵと同期をとることとした。これにより、ＯＬＴが認識するＯＮＵのＳＬＥＥＰ期間と実際のＯＮＵのＳＬＥＥＰ期間のズレを解消でき、ズレの時間が累積されることがないことから、ＯＮＵがＯＬＴからのフレームを逸失してＯＮＵとＯＬＴとの間で導通不可となる事態を回避しつつ、ＯＮＵが一部の機能を停止するＳＬＥＥＰ状態になることからＯＮＵにおける消費電力を低減することができる。
【産業上の利用可能性】
【００３５】
以上のように、本発明にかかる通信システムは、ＰＯＮシステムに有用であり、特に、システムの省電力化に適している。
【符号の説明】
【００３６】
１、２  ＯＮＵ
３  ＯＬＴ
１１、３１  送信部
１２、３２  受信部
１３、３３  ＰＯＮ制御部
１４、３４  スリープ制御部
１５、３５  タイマー部
１６  一時起動フレーム生成部
１７  完全起動フレーム生成部
１８  スリープ制御フレーム生成部
１９  スリープ制御フレーム識別部
２０  選択部
３６  一時起動フレーム識別部
３７  完全起動フレーム識別部
３８  スリープ制御フレーム識別部
３９  スリープ制御フレーム生成部
【図１】
2013123179.tif 000003
【図２】
2013123179.tif 000004
【図３】
2013123179.tif 000005
【図４】
2013123179.tif 000006
【図５】
2013123179.tif 000007